(57)【特許請求の範囲】
【請求項１】
上延長部(14)と下延長部(16)とを所定間隔離隔して連結部(18)により連結し、上延長部(14)の先端側には発光素子(20)を発光できるように埋設し、下延長部(16の先端側には受光素子(22)を受光できるように埋設してなるフォトセンサユニット(10)に対して、
透過性がよく、耐溶剤性があり、前記発光素子(20)および受光素子(22)側となる使用面が少なくとも４面（ａ，ｂ，ｃ，ｄ）あり、傷が付き損傷した面の代わりに別の面を使用することができるようにし、前記上延長部(14)および下延長部(16)の先端部側から前記発光素子(20)および受光素子(22)をカバーするよう装着できるようにしたことを特徴とするフォトセンサ用カバー部材。
【請求項２】
前記カバー部材(12)がポリカーボネートで作製されていることを特徴とする請求項１に記載のフォトセンサ用カバー部材。
【請求項３】
前記カバー部材(12)は底部(30)を有する枡形状をし、該底部(30)の内面に両面粘着テープ(32)を設けたことを特徴とする請求項１に記載のフォトセンサ用カバー部材。
【発明の詳細な説明】
【０００１】
【産業上の利用分野】
この発明は、例えば、自動券売機、自動改札機等において検知器として使用されるフォトセンサ用のカバー部材に関する。
【０００２】
【従来の技術】
自動券売機等を所定期間使用していると、自動券売機内の種々の部品、例えば、磁気ヘッド、サーマルヘッド、搬送ベルト、ローラ、フォトセンサ等が埃やインク等で汚れてしまう。
【０００３】
従って、所定期間使用した後は、自動券売機等の部品の清掃等の保守を行なう必要がある。通常、この清掃は、アルコール等を使用して汚れを落としている。しかし、フォトセンサとしての発光ダイオードおよびフォトトランジスタには、透過性のよいアクリル系樹脂等の合成樹脂材からなるレンズを使用しており、該レンズ部はアルコール等に弱く、このフォトセンサの清掃は、からぶきで行なっているのが現状である。
【０００４】
しかし、単なるからぶきでの清掃は、汚れが落ちづらく、その結果、フォトセンサの誤検知の原因ともなることがある。そして、からぶき清掃のみで汚れを完全に落とすには、その作業は大変な労力を要してしまう。
【０００５】
【発明が解決しようとする課題】
本発明は上記点に着目してなされたものであって、自動券売機あるいは自動改札機等に使用されるフォトセンサの汚れ等による誤検知を防止するため、アルコールを使用して保守作業が行なえるフォトセンサ用カバー部材を提供することを課題とするものである。
【０００６】
【課題を解決するための手段】
上記課題を解決するため本発明は、上延長部（１４）と下延長部（１６）とを所定間隔離隔して連結部（１８）により連結し、上延長部（１４）の先端側には発光素子（２０）を発光できるように埋設し、下延長部（１６）の先端側には受光素子（２２）を受光できるように埋設してなるフォトセンサユニット（１０）に対して、透過性がよく、耐溶剤性があり、かつ枡形状をし、前記上延長部（１４）および下延長部（１６）の先端部側から前記発光素子（２０）および受光素子（２２）をカバーするよう装着できるようにしたフォトセンサ用カバー部材とした。
【０００７】
カバー部材（１２）としては、透過性がよく、清掃のためのアルコール等に強いポリカーボネートで作製されるのが清掃作業の向上性から好ましい。
【０００８】
カバー部材（１２）の底部（３０）の内面には、両面粘着テープ（３２）を設けることにより、フォトセンサユニット（１０）にカバー部材（１２）を装着した際、固定されるとともに、着脱自在となり、他の使用面（取付け面）を利用することができるので好ましい。
【０００９】
【作用】
フォトセンサユニット（１０）の上延長部（１４）および下延長部（１６）の先端部側にカバー部材（１２）を挿入するようにして装着する。カバー部材（１２）は透過性がよいので、乗車券等の検知に対して支障がない。また、カバー部材（１２）により発光素子としての発光ダイオード（２０）および受光素子としてのフォトトランジスタ（２２）がカバーされることになり、レンズ部分が保護される。
【００１０】
また、カバー部材（１２）は、アルコール等に強い耐溶剤性材料で作製されているため、自動券売機や自動改札機等の他の各部品と同様にアルコール等で清掃でき、清掃作業がはかどる。
【００１１】
【実施例】
以下、本発明を図面に示す一実施例に基づき詳細に説明する。
図１は、例えば自動券売機等の乗車券等の検知手段としてユニット形式にして用いられるフォトセンサユニット（１０）の斜視図を示しており、図２は、本発明に係るフォトセンサ用のカバー部材（１２）の開口部側から見た斜視図を示している。
【００１２】
フォトセンサユニット（１０）は、断面四角形状の上延長部（１４）と断面四角形状の下延長部（１６）とを連結部（１８）で一体的となるよう連結した構成となっている。
【００１３】
前記上延長部（１４）と下延長部（１６）とは、上下において所定距離離間している。上延長部（１４）の先端側には発光素子である発光ダイオード（２０）が埋設され、該発光ダイオード（２０）のレンズ部分である先端部は、上延長部（１４）の下面と面一状態となっている。また、下延長部（１６）の先端側には受光素子であるフォトトランジスタ（２２）が埋設され、該フォトトランジスタ（２２）のレンズ部分である先端部は、下延長部（１６）の上面と面一状態なっている。そして、発光ダイオード（２０）とフォトトランジスタ（２２）間が光軸（Ｌ）となっている。
【００１４】
上延長部（１４）と連結部（１８）との連結部分、および下延長部（１６）と連結部（１８）との連結部分には、それぞれ上および下に延びるフランジ（２４，２４）が設けられ、各フランジ（２４，２４）には取付け用のねじ孔（２６，２６）が形成されている。このフランジ（２４，２４）を自動券売機等の所定位置にねじ孔（２６，２６）を介して取付けることにより、フォトセンサユニット（１０）を自動券売機等に固定取付けする。
【００１５】
このように発光ダイオード（２０）からの光を受光素子であるフォトトランジスタ（２２）が受けることによりフォトトランジスタ（２２）は、通常ＯＮ状態となっている。しかし、自動券売機等の乗車券の発行のときには、該発行される乗車券が発光ダイオード（２０）とフォトトランジスタ（２２）間の位置に搬送されてきた場合、すなわち、発行乗車券が光軸（Ｌ）の位置にきた際、発光ダイオード（２０）からの光を遮断することとなり、フォトトランジスタ（２２）はＯＦＦ状態となることにより、乗車券の検知を行なう。
【００１６】
カバー部材（１２）は、図２に詳細に図示しているように、発光ダイオード（２０）およびフォトトランジスタ（２２）が内蔵されている上延長部（１４）および下延長部（１６）の断面四角形状と同一の形状をし、六面体で１つの面側に開口部（２８）を有している枡形状をした箱体である。
【００１７】
このカバー部材（１２）の材質としては、透明材質がよいが、要は透過性のよいものがよく、かつアルコール等で洗浄できる耐溶剤性の材質のものがよく、例えば、ポリカーボネート等の合成樹脂材で作製するのがよい。また、軟質性の材質のものより方形状の形状を保持し得るように硬質性の材料で作製するのが好ましい。
【００１８】
このカバー（１２）部材の底部（３０）内面には、図３に示すように両面粘着テープ（３２）が貼り付けられている。
【００１９】
このようなカバー部材（１２）を図１および図３に示すように、開口部（２８）側より上延長部（１４）および下延長部（１６）の先端部側に嵌め込むようにして挿入する。すなわち、発光ダイオード（２０）およびフォトトランジスタ（２２）を包囲するようにして前記カバー部材（１２）部材を上延長部（１４）および下延長部（１６）に装着する。
【００２０】
従って、アルコール等に強い、すなわち、耐溶剤性のある簡単な部材で発光ダイオード（２０）およびフォトトランジスタ（２２）をカバーしているので、自動券売機等の所定期間の使用により各部品の清掃の際にも、他の部品と同様にアルコール等で清掃することができ、保守作業が容易となる。
【００２１】
また、カバー部材（１２）の光軸（Ｌ）側の側面（ａ）（取付け面）が、例えば、キズが付き損傷して透過性が低下したときは、他の側面（ｂ，ｃ，ｄ）を光軸（Ｌ）側となるよう装着し直して再使用することができる。つまり、図４に示すようにカバー部材（１２）部材は全体で４つの側面（ａ，ｂ，ｃ，ｄ）を使用することが可能となり、それだけカバー部材（１２）を長期間使用することができる。
【００２２】
【発明の効果】
以上説明したように本発明よれば、フォトセンサユニットのフォトセンサ部分を耐溶剤性のカバー部材で包囲するようにしたので、フォトセンサ自体に汚れが付かず、フォトセンサの汚れ防止となる。また、自動券売機や自動改札機等の各部品の清掃保守に際しても、フォトセンサのみを面倒なからぶきで行なう必要はなく、アルコール等で清掃することができ、保守作業が向上する。
【００２３】
さらに、カバー部材は方形状をしており、フォトセンサをカバーする面（取付け面）が４面使用することができるので、取付け面にキズ等がついても他の面を使用することができ、便利である。
【図面の簡単な説明】
【図１】本発明のカバー部材をフォトセンサユニットに装着した状態を示した斜視図である。
【図２】カバー部材の斜視図である。
【図３】カバー部材をフォトセンサユニットに装着し、カバー部材を断面にした状態を示した一部断面の正面図である。
【図４】図３における側面図である。
【符号の説明】
１０  フォトセンサユニット
１２  カバー部材
１４  上延長部
１６  下延長部
１８  連結部
２０  発光ダイオード
２２  フォトトランジスタ
２８  開口部
３０  底部
３２  両面粘着テープ
【図１】
0003727376.tif 000002
【図２】
0003727376.tif 000003
【図３】
0003727376.tif 000004
【図４】
0003727376.tif 000005